(57)【要約】      （修正有）【課題】走行クレーンのブーム位置がオフセットされている場合において、重量を大幅に増やすことなく旋回フレームを効果的に補強し、ラチスブームの横たわみを低減する。【解決手段】旋回フレーム４０は、底板４１と、当該底板４１の上に設置され、ラチスブームを支持する支持体４２と、を備える。支持体４２は、ラチスブームを挟むように配置される左右一対の側壁４３ｂと、底板４１の前側に配置される前壁４４と、を有する。旋回ベアリング２０の旋回中心の位置に対して、ラチスブームの中心位置が車幅方向Ｗにオフセットされている。旋回中心から遠い方の側壁である遠壁４３ｂが、（i）当該遠壁４３ｂにおけるブームフットの支持位置（貫通孔４３ｈ）と、（ii）旋回ベアリング２０の外周線に最も近い位置と、を結ぶ直線に沿って補強されている。【選択図】図５
2011046503.tif 000002
【特許請求の範囲】
【請求項１】
走行クレーンの下部走行体（１０）の上に旋回ベアリング（２０）を介して設置され、且つ、ラチスブーム（３０）のブームフット（３０ｆ）を前側で支持する旋回フレーム（４０）であって、
底板（４１）と、当該底板の上に設置され、前記ラチスブームを支持する支持体（４２）と、を備え、
前記支持体は、前記ラチスブームを挟むように配置される、前後方向に平行な左右一対の側壁（４３ａ、４３ｂ）と、前記底板の前側に配置され、上下方向に平行で前記一対の側壁に垂直な前壁（４４）と、を有し、
それぞれの前記側壁は、前記ラチスブームのブームフットを、前記ラチスブームが起伏できる状態で支持し、
前記旋回ベアリングの旋回中心の位置に対して、前記ラチスブームの中心位置が車幅方向にオフセットされており、
前記一対の側壁のうち、前記旋回中心から遠い方の側壁である遠壁（４３ｂ）が、（i）当該遠壁における前記ブームフットの支持位置と、（ii）前記旋回ベアリングの外周線に最も近い位置と、を結ぶ直線に沿って補強されていることを特徴とする、旋回フレーム。
【請求項２】
前記前壁が、（i）前記遠壁における前記ブームフットの支持位置に最も近い位置と、（ii）前記旋回ベアリングの外周線に最も近い位置と、を結ぶ直線に沿って補強されていることを特徴とする、請求項１に記載の旋回フレーム。
【請求項３】
前記遠壁における補強部分、前記前壁における補強部分、及び、前記底板、に対して固定された補強板（４５）をさらに有することを特徴とする、請求項２に記載の旋回フレーム。
【請求項４】
走行クレーンの下部走行体（１０）の上に旋回ベアリング（２０）を介して設置され、且つ、ラチスブーム（３０）のブームフット（３０ｆ）を前側で支持する旋回フレーム（４０）であって、
底板（４１）と、当該底板の上に設置され、前記ラチスブームを支持する支持体（４２）と、を備え、
前記支持体は、前記ラチスブームを挟むように配置される、前後方向に平行な左右一対の側壁（４３ａ、４３ｂ）と、前記底板の前側に配置され、上下方向に平行で前記一対の側壁に垂直な前壁（４４）と、を有し、
それぞれの前記側壁は、前記ラチスブームのブームフットを、前記ラチスブームが起伏できる状態で支持し、
前記旋回ベアリングの旋回中心の位置に対して、前記ラチスブームの中心位置が車幅方向にオフセットされており、
前記一対の側壁のうち、前記旋回中心から遠い方の側壁を遠壁（４３ｂ）とした場合において、
前記前壁が、（i）前記遠壁における前記ブームフットの支持位置に最も近い位置と、（ii）前記旋回ベアリングの外周線に最も近い位置と、を結ぶ直線に沿って補強されていることを特徴とする、旋回フレーム。
【発明の詳細な説明】
【技術分野】
【０００１】
本発明は、ラチスブームを有する走行クレーンの、旋回フレームに関する。
【背景技術】
【０００２】
ラチスブームを前側で支持する走行クレーンにおいて、その車幅が規制される場合がある。そして、従来の走行クレーンでは、車幅を規制値の範囲内に収めるために、例えば、次のような対策が採られている。
【０００３】
まず、旋回体の左右のデッキフレーム（図２の左フレーム１２ａ、右フレーム１２ｂ参照）に分けて配置されていたキャブおよびパワーユニットを、同一のデッキフレーム（図２の右フレーム１２ｂ参照）に、前後に並べて配置している。さらに、旋回体の左右の重量バランスを保つために、ラチスブームの中心位置を、旋回中心位置に対して、車幅方向（左右方向）にオフセットしている（ずらしている）。特許文献１には、ブーム位置がオフセットされたクローラクレーンの一例が開示されている。
【先行技術文献】
【特許文献】
【０００４】
【特許文献１】特開２００９-１６１２７８号公報
【発明の概要】
【発明が解決しようとする課題】
【０００５】
通常、走行クレーンにおいては、２つのブームフットが、旋回フレームの、前壁及び２枚の側壁からなる支持体によって支持される。また、ブームフットによって旋回フレームに与えられる荷重は、旋回ベアリング部分で支えられる。
【０００６】
また、ブーム位置が車幅方向にオフセットされている場合には、一方のブームフットの位置が、他方のブームフットの位置に比べて、旋回ベアリングから大きく離れる。ここで、二つのブームフットを支える一対の側板のうち、旋回ベアリングの旋回中心から遠い方の側壁を「遠壁」と記す。
この場合に、底板の、支持体と旋回ベアリングとの間の隅領域のうち、遠壁側の領域（図２、図３、図６のドットハッチングを付した隅領域Ｈ参照）が、反対側の領域に比べて大きく撓む。その結果、ブームにかかる横たわみが大きくなってしまう。
【０００７】
このような底板の撓みを抑制するために、従来、（i）遠壁側の隅領域（図の領域Ｈ）全体の板厚を増大させること、（ii）遠壁及び前壁に箱状の支持体を取り付けること、などによって旋回フレームの剛性を高めている。しかし、このような手法を採用した場合には、車両の重量が大幅に増大してしまう。走行クレーンは、重量面でも厳しく規制されるため、重量を大幅に増やすことなく旋回フレームを補強できることが望ましい。
【０００８】
（課題）
そこで、本発明が解決しようとする課題は、走行クレーンのブーム位置がオフセットされている場合において、重量を大幅に増やすことなく旋回フレームを効果的に補強し、ラチスブームの横たわみを低減することである。
【課題を解決するための手段】
【０００９】
（１）上記の課題を解決するために、本発明に係る旋回フレームは、走行クレーンの下部走行体の上に旋回ベアリングを介して設置され、且つ、ラチスブームのブームフットを前側で支持する。
当該旋回フレームは、底板と、当該底板の上に設置され、前記ラチスブームを支持する支持体と、を備え、前記支持体は、前記ラチスブームを挟むように配置される、前後方向に平行な左右一対の側壁と、前記底板の前側に配置され、上下方向に平行で前記一対の側壁に垂直な前壁と、を有する。
それぞれの前記側壁は、前記ラチスブームのブームフットを、前記ラチスブームが起伏できる状態で支持し、前記旋回ベアリングの旋回中心の位置に対して、前記ラチスブームの中心位置が車幅方向にオフセットされている。
そして、前記一対の側壁のうち、前記旋回中心から遠い方の側壁である遠壁が、（i）当該遠壁における前記ブームフットの支持位置と、（ii）前記旋回ベアリングの外周線に最も近い位置と、を結ぶ直線に沿って補強されている。
【００１０】
この構成では、ブーム中心位置が、旋回中心に対して車幅方向にオフセットされている走行クレーンにおいて、遠壁（旋回中心から遠い方の側壁）のうち、ブームフットの支持位置と、旋回ベアリングの外周線近傍と、が直線的に補強される。そのため、遠壁全体を補強することなく、遠壁の最小限の補強により、遠壁側の底板の撓みを効率的に抑制することができる。
従って、本構成により、重量を大幅に増やすことなく旋回フレームを効果的に補強し、ラチスブームの横たわみを低減することができる。
【００１１】
なお、上記の「走行クレーン」には、ホイールクレーン、及び、クローラクレーン（無限軌道車）の両方が含まれる。また、本発明の対象は、車両前側でブームを支持する走行クレーンである。
【００１２】
ブームフットの支持方式としては、ブームフットに取り付けられた軸が、側壁に設けられた貫通孔に挿入される方式であってもよいし、その反対に、側壁に形成された軸が、ブームフットに形成された貫通孔に挿入される方式であってもよい。また、ブームフット、及び側壁の両方に貫通孔が形成され、これらの貫通孔に、回転軸が挿入される方式であってもよい。
また、「ブーム中心位置」とは、ブームの、幅方向に関する中心位置である。
【００１３】
上記の「旋回ベアリングの外周線」とは、旋回ベアリング装置のうち、旋回フレームに取り付けられた部分の、最外周線を意味している。そのため、旋回フレームにアウターレース（アウターリング）が取り付けられている場合には、アウターレースの外周線が「旋回ベアリングの外周線」に相当し、旋回フレームにインナーレース（インナーリング）が取り付けられている場合には、インナーレースの外周線が「旋回ベアリングの外周線」に相当する。
【００１４】
上記の「補強」には、（対象部分の）板厚の増加や、対象部分への補強用骨部材（リブ）の取り付けなどが含まれる。
また、「直線に沿って補強」されるとは、直線近傍が補強されることを意味している。
また、側壁及び前壁のそれぞれに関して、どちらの面が補強されてもよく、また、両面が補強されてもよい。
【００１５】
（２）本発明に係る上記（１）の旋回フレームにおいて、前記前壁が、（i）前記遠壁における前記ブームフットの支持位置に最も近い位置と、（ii）前記旋回ベアリングの外周線に最も近い位置と、を結ぶ直線に沿って補強されていてもよい。
【００１６】
この構成では、前壁のうち、遠壁のブームフット支持位置に最も近い位置と、旋回ベアリングの外周線近傍と、が直線的に補強される。そのため、前壁全体を補強することなく、前壁の最小限の補強により、遠壁側の底板の撓みを効率的に抑制することができる。
従って、本構成により、重量を大幅に増やすことなく旋回フレームを効果的に補強し、ラチスブームの横たわみを低減することができる。
【００１７】
（３）本発明に係る上記（２）の旋回フレームは、前記遠壁における補強部分、前記前壁における補強部分、及び、前記底板、に対して固定された補強板をさらに有していてもよい。
【００１８】
この構成では、補強板が、遠壁の補強部分、前壁の補強部分、及び底板の３箇所に固定されている。そのため、補強板、遠壁、及び前壁によって、旋回フレームがさらに強く補強され、底板の、遠壁側の隅領域（図２の領域Ｈ）の撓みがさらに抑制される。また、一枚の板を追加するだけなので、重量が大幅に増加することがない。
【００１９】
なお、上記の「固定」の方法には、溶接、接着などの他、一方の凸部を他方の凹部に挿入する方式や、固定対象と補強板とを予め一体的に成形する方式などが含まれる。
【００２０】
（４）上記の課題を解決するために、本発明に係る旋回フレームは、走行クレーンの下部走行体の上に旋回ベアリングを介して設置され、且つ、ラチスブームのブームフットを前側で支持する。
当該旋回フレームは、底板と、当該底板の上に設置され、前記ラチスブームを支持する支持体と、を備え、前記支持体は、前記ラチスブームを挟むように配置される、前後方向に平行な左右一対の側壁と、前記底板の前側に配置され、上下方向に平行で前記一対の側壁に垂直な前壁と、を有する。
それぞれの前記側壁は、前記ラチスブームのブームフットを、前記ラチスブームが起伏できる状態で支持し、前記旋回ベアリングの旋回中心の位置に対して、前記ラチスブームの中心位置が車幅方向にオフセットされている。
そして、前記一対の側壁のうち、前記旋回中心から遠い方の側壁を遠壁とした場合において、前記前壁が、（i）前記遠壁における前記ブームフットの支持位置に最も近い位置と、（ii）前記旋回ベアリングの外周線に最も近い位置と、を結ぶ直線に沿って補強されている。
【００２１】
この構成では、ブーム中心位置が、旋回中心に対して車幅方向にオフセットされている走行クレーンにおいて、前壁のうち、遠壁のブームフット支持位置に最も近い位置と、旋回ベアリングの外周線近傍と、が直線的に補強される。そのため、前壁全体を補強することなく、前壁の最小限の補強により、遠壁側の底板の撓みを効率的に抑制することができる。
従って、本構成により、重量を大幅に増やすことなく旋回フレームを効果的に補強し、ラチスブームの横たわみを低減することができる。
【００２２】
なお、本構成における「走行クレーン」、「ラチスブーム」、「ブームフットの支持方式」、「旋回ベアリングの外周線」、「ブーム中心位置」、及び「補強」については、上記の（１）と同様に説明されるため、説明を省略する。
【図面の簡単な説明】
【００２３】
【図１】本発明の第１実施形態に係るクローラクレーンの側面図である。
【図２】旋回フレーム等を示す上面図である。
【図３】アウターレース及び旋回フレームの上面拡大図である。
【図４】旋回フレームの斜視図である。
【図５】図２及び図３のＡ−Ａ’斜視断面図である。
【図６】図５の補強部位について説明するための斜視断面図である。
【図７】本発明の第２実施形態に係るクローラクレーンの側面図である。
【図８】（ａ）は図７の補強板の斜視図であり、（ｂ）は変形例に係る補強板の斜視図である。
【発明を実施するための形態】
【００２４】
（第１実施形態）
以下、本発明の第１実施形態について説明する。なお、以下の説明及び図において、車両前後方向を、前後方向Ｋと記す（図の矢印Ｋ方向参照）。また、前後方向Ｋに関して、前方側をＫ１と、後方側をＫ２とする（図の符号Ｋ１及びＫ２参照）。また、車両の左右方向を、車幅方向Ｗと記す（図の矢印Ｗ方向参照）。また、特記した場合を除き、図において、破線は隠れた部分の形を示す隠れ線であり、二点鎖線は想像線である。
【００２５】
図１に示すように、クローラクレーン１は、下部走行体１０、旋回ベアリング２０、及び上部旋回体１１を有する走行クレーンである。下部走行体１０は無限軌道車である。また、上部旋回体１１は、下部走行体１０の上に、旋回ベアリング２０を介して設置されており、上下に延びる軸を回転軸として旋回する。
【００２６】
（旋回ベアリング）
旋回ベアリング２０は、アウターレース（アウターリング）２１及びインナーレース（インナーリング）２２を含む。旋回ベアリング２０は、下部走行体１０と上部旋回体１１との間に挟まれている。
【００２７】
インナーレース２２は、下部走行体１０の上面に、ボルトを用いて固定されている。また、アウターレース２１は、上部旋回体１１の旋回フレーム４０の下面に、ボルトを用いて固定されている。そして、アウターレース２１の内側に、インナーレース２２が収まる。また、上部旋回体１１に固定されたモータ（図示せず）の出力軸の歯車が、インナーレース２２の内側に形成された歯車に噛み合っている。そして、モータの回転に伴い、アウターレース２１が、インナーレース２２の周囲を回転する。その結果、下部走行体１０の上で上部旋回体１１が旋回する。
【００２８】
（上部旋回体）
上部旋回体１１は、旋回フレーム４０、２つのデッキフレーム（左フレーム１２ａ、右フレーム１２ｂ）、ラチスブーム３０、キャブ５１、巻上用ウインチ（図示せず）、フック５９ｈ、及びガントリ５４を含む（図１及び図２参照）。旋回フレーム４０には、底板４１、及び、支持体４２が含まれる。
【００２９】
旋回フレーム４０及び２つのデッキフレームは、上部旋回体１１に搭載される後述の機器等を支持する。また、左フレーム１２ａ及び右フレーム１２ｂは、それぞれ、旋回フレーム４０の底板４１に対してボルトで固定されている。そのため、２つのデッキフレームは、旋回フレーム４０の回転に伴って回転する。
【００３０】
右フレーム１２ｂの上には、キャブ５１、パワーユニットなどが、前後方向Ｋに並べて設置されている。キャブ５１は、クレーン作業時の操縦室として機能する。パワーユニットには、エンジン、油圧ポンプなどが含まれる。また、左フレーム１２ａの上には、ポンプ、タンクなどが前後方向Ｋに並べて設置されている。なお、図２は、デッキフレーム上の設置物を省略して示している。
【００３１】
デッキフレームに設置される物の中でも幅が比較的広いキャブ５１及びパワーユニットが、右フレーム１２ｂの上に並べられている。また、これに伴い、右フレーム１２ｂの幅は、左フレーム１２ａの幅よりも広くなっている。その結果として、キャブ５１及びパワーユニットが左右のデッキフレームに分けて設置される場合に比べて、クローラクレーン１の車幅が狭くなっている。
そして、左右の重量バランスを保つために、旋回ベアリング２０の旋回中心Ｇ（図の点Ｇ参照）は、旋回フレーム４０の中心よりも、右フレーム１２ｂに近い位置にある（図２参照）。
【００３２】
ラチスブーム３０は、旋回フレーム４０に対して、起伏可能な状態で取り付けられている。ラチスブーム３０の下端部には、２つのブームフット３０ｆが、車幅方向Ｗに並べて配置されている。それぞれのブームフット３０ｆは、支持体４２の側壁（後述）を挟む２枚の板から成る。また、ラチスブーム３０は、２つのブームフットピン３０ｐ（図２参照）を中心軸として起伏する。なお、それぞれのブームフットは、１枚の板であってもよい。
【００３３】
ラチスブーム３０の先端部には、ブームポイントシーブ５２ｓが取り付けられており、ブームポイントシーブ５２ｓからは、フック５９ｈが吊り下げられている。また、フック５９ｈには、フックシーブ５９ｓが取り付けられている。
【００３４】
巻上用ウインチは、上部旋回体１１の本体部に設置されている。巻上用ウインチには、巻上ワイヤーロープ５２ｒの先端が取り付けられている。また、巻上ワイヤーロープ５２ｒは、巻上用ウインチから伸びて、ブームポイントシーブ５２ｓおよびフックシーブ５９ｓの両方に巻かれている。そして、巻上用ウインチを制御することにより、フック５９ｈの昇降動作が行なわれる。
【００３５】
ガントリ５４は、上部旋回体１１の本体部後方に設置されている。ガントリ５４の頂部と、ラチスブーム３０の先端部とは、ブーム起伏ロープ５６及びブームガイライン５８を介して連結されている。また、ガントリ５４の頂部には、下部スプレッダ５５が取り付けられており、ブームガイライン５８の端部には、上部スプレッダ５７が連結されている。ブーム起伏ロープ５６は、上部旋回体１１の本体部に設けられたブーム起伏用ウインチ（図示せず）から延び、上部スプレッダ５７及び下部スプレッダ５５の両方に巻かれている。そして、ブーム起伏用ウインチを制御することにより、ラチスブーム３０の起伏動作が行なわれる。
【００３６】
上記のように、右フレーム１２ｂの上に、車幅が大きいキャブ５１及びパワーユニットが設置されている。そして、クローラクレーン１においては、旋回ベアリング２０の旋回中心Ｇ（図の点Ｇ参照）の位置に対して、ラチスブーム３０の中心位置が車幅方向Ｗにオフセットされている。このように、ブーム中心位置を旋回中心位置からオフセットすることにより、クローラクレーン１の左右の重量バランスが保たれている。
【００３７】
ブーム位置のオフセットについて、図２および図３を用いて説明する。旋回ベアリング２０の旋回中心Ｇを通り、前後方向Ｋに沿って延びる線を、中心線ＲＣ（旋回中心線；図の一点鎖線ＲＣ参照）とする。また、ラチスブーム３０の中心線（幅方向に関する中心線）を、中心線ＢＣ（ブーム中心線；図の一点鎖線ＢＣ参照）とする。この場合に、上面視において、中心線ＢＣが、中心線ＲＣに対し車幅方向Ｗにδ（δ：オフセット量）だけずれている（図２参照）。そのため、旋回ベアリング２０の外側に位置し、且つ、支持体４２の内側に位置する隅領域のうち、遠壁４３ｂに近い領域（図のドットハッチングを付した隅領域Ｈ）は、他方の隅領域よりも大きい。なお、本実施形態においては、他方（側壁４３ａ側）の隅領域の面積は０である。
また、隅領域Ｈは、上面視（図２及び図３）において、遠壁４３ｂ、前壁４４、及び、アウターレース２１によって囲まれている。
【００３８】
なお、図２は、旋回フレーム４０、２つのデッキフレーム、及び、アウターレース２１のみを示している。また、図４は、旋回ベアリングを省略して示している。
【００３９】
（旋回フレーム）
次に、旋回フレーム４０の詳細について説明する。旋回フレーム４０は金属製であり、旋回フレーム４０には、底板４１、及び、支持体４２が含まれる。底板４１は、前後方向Ｋに延びる、水平な板であり、支持体４２は、底板４１の上に取り付けられている。
【００４０】
旋回フレーム４０は、下部走行体１０の上に、旋回ベアリング２０を介して設置されている。また、旋回フレーム４０は、ラチスブーム３０の２つのブームフット３０ｆを、車両前側で支持する（図１参照）。
【００４１】
（支持体）
支持体４２は、ラチスブーム３０を支持するものであり、左右一対の側壁（側壁４３ａ、側壁４３ｂ）、及び、前壁４４から成る（図２乃至図６参照）。また、支持体４２は、底板４１の上に固定されている。なお、支持体４２及び底板４１の固定方法に関しては、溶接や接着の他、支持体４２と底板４１とを一体成形してもよい。
【００４２】
一対の側壁は同一形状を有しており、これらは、ラチスブーム３０を挟むように配置されている。それぞれの側壁は、ラチスブーム３０の２つのブームフット３０ｆを、ラチスブーム３０が起伏できる状態で支持する。また、それぞれの側壁は、前後方向Ｋに平行であり、且つ、上下方向に平行である（図２乃至図４参照）
【００４３】
それぞれの側壁には、前方、且つ、斜め上方に向かって突出する、突出部４３ｔが形成されている（図４乃至図６参照）。また、突出部４３ｔには、貫通孔４３ｈが形成されている。貫通孔４３ｈは、車幅方向Ｗに沿って側壁を貫通している。
【００４４】
また、それぞれのブームフット３０ｆには貫通孔が形成されており、回転軸であるブームフットピン３０ｐが、ブームフット３０ｆ及び側壁４３ｂの両方を貫通するように、貫通孔４３ｈ及びブームフット３０ｆの貫通孔に挿入される。これにより、２つのブームフット３０ｆが、ラチスブーム３０が起伏できる状態で、支持体４２によって支持される（図２参照）。
【００４５】
また、一対の側壁においては、側壁４３ｂよりも、側壁４３ａの方が、旋回ベアリング２０の旋回中心Ｇに近い。すなわち、側壁４３ｂ及び旋回中心Ｇの最短距離よりも、側壁４３ａ及び旋回中心Ｇの最短距離の方が短い（図２及び図３参照）。以下の説明においては、一対の側壁のうち、旋回中心から遠い方の側壁４３ｂを、「遠壁」と記す。
【００４６】
前壁４４は、底板４１の前側に配置され、上下方向に平行で、且つ、一対の側壁に対して垂直に配置されている。また、前壁４４は、長方形の板部材であり、２つの側壁、及び底板４１に対して固定されている。
【００４７】
（補強について）
次に、側壁（遠壁）４３ｂ及び前壁４４の補強について説明する。なお、図５は、図２及び図３のＡ−Ａ’断面図であり、図５が示された範囲は、図２及び図３の破線四角で囲われた範囲Ｂに相当する。
【００４８】
遠壁４３ｂの内面（側壁４３ａに面している方の面）には、補強用骨部材として、補強バー４６が取り付けられている（図４及び図５参照）。補強バー４６は金属製であり、ほぼ半円柱状に、且つ、直線的に形成されている。補強バー４６は、図の位置Ｃと、位置Ｄとを結ぶ直線４６Ｌに沿って取り付けられている（図２、図５、及び図６参照）。なお、図６は、説明用の図であり、図６では補強バー４６が省略されている。また、図２及び図３においても、補強バー４６が省略されている。
【００４９】
図２、図３、及び図６の位置Ｃは、遠壁４３ｂにおけるブームフット３０ｆの支持位置、すなわち、貫通孔４３ｈの位置に相当する。
また、図２、図３、及び図６の位置Ｄは、遠壁４３ｂにおいて、旋回ベアリング２０の外周線（すなわち、アウターレース２１の外周線）に最も近い位置に相当する。
【００５０】
そして、補強バー４６は、遠壁４３ｂの、位置Ｃと位置Ｄとを結ぶ直線上を補強するために設けられている。この補強により、底板４１の隅領域Ｈの撓みが抑制される。
【００５１】
また、前壁４４の前面には、補強用骨部材として、補強バー４７が取り付けられている（図４及び図５参照）。補強バー４７は金属製であり、ほぼ半円柱状に、且つ、直線的に形成されている。補強バー４７は、図の位置Ｅと、位置Ｆとを結ぶ直線４７Ｌに沿って取り付けられている（図２、図５、及び図６参照）。なお、図６は、説明用の図であり、図６では補強バー４７が省略されている。また、図２及び図３においても、補強バー４７が省略されている。
【００５２】
図２、図３、及び図６の位置Ｅは、前壁４４において、貫通孔４３ｈ（遠壁４３ｂにおけるブームフット３０ｆの支持位置Ｃ）に最も近い位置に相当する。
また、図２、図３、及び図６の位置Ｆは、前壁４４において、旋回ベアリング２０の外周線（すなわち、アウターレース２１の外周線）に最も近い位置に相当する。
【００５３】
そして、補強バー４７は、前壁４４の、位置Ｅと位置Ｆとを結ぶ直線上を補強するために設けられている。この補強によっても、底板４１の隅領域Ｈの撓みが抑制される。
【００５４】
なお、図の位置Ｃ、位置Ｄ、位置Ｅ、及び位置Ｆに描かれた破線円は、それぞれの位置に相当する範囲（外延）を示している。また、図の位置Ｃ、位置Ｄ、位置Ｅ、及び位置Ｆの、破線円内部の点は、それぞれの位置の中心点を示している。
【００５５】
このように、旋回フレーム４０においては、隅領域Ｈに面して設けられた遠壁４３ｂ及び前壁４４のそれぞれが、ラチスブーム３０からの荷重の伝達方向に沿って補強されている。そのため、ラチスブーム３０の荷重が支持体４２に作用した場合に、遠壁４３ｂ及び前壁４４の撓みが抑制される。その結果、底板４１の隅領域Ｈの撓みが抑制されるため、ラチスブーム３０の横たわみが低減する。
【００５６】
（効果）
次に、本実施形態に係る旋回フレーム４０により得られる効果について説明する。旋回フレーム４０は、走行クレーンの下部走行体１０の上に旋回ベアリング２０を介して設置され、且つ、ラチスブーム３０の２つのブームフット３０ｆを前側で支持する。
当該旋回フレーム４０は、底板４１と、当該底板４１の上に設置され、ラチスブーム３０を支持する支持体４２と、を備え、支持体４２は、ラチスブーム３０を挟むように配置される、前後方向Ｋに平行な左右一対の側壁（側壁４３ａ、側壁４３ｂ）と、底板４１の前側に配置され、上下方向に平行で一対の側壁に垂直な前壁４４と、を有する。
それぞれの側壁は、ラチスブーム３０のブームフット３０ｆを、ラチスブーム３０が起伏できる状態で支持し、旋回ベアリング２０の旋回中心Ｇの位置に対して、ラチスブーム３０の中心位置が車幅方向Ｗにオフセットされている。
そして、一対の側壁のうち、旋回中心Ｇから遠い方の側壁である遠壁４３ｂが、（i）当該遠壁４３ｂにおけるブームフット３０ｆの支持位置Ｃ（貫通孔４３ｈ）と、（ii）旋回ベアリング２０の外周線に最も近い位置Ｄと、を結ぶ直線４６Ｌに沿って補強されている。
【００５７】
この構成では、ブーム中心位置が、旋回中心Ｇに対して車幅方向Ｗにオフセットされている走行クレーンにおいて、遠壁４３ｂ（旋回中心Ｇから遠い方の側壁）のうち、ブームフット３０ｆの支持位置と、旋回ベアリング２０の外周線近傍と、が直線的に補強される。そのため、遠壁４３ｂの全体を補強することなく、遠壁４３ｂの最小限の補強により、遠壁４３ｂ側の底板４１の撓み（隅領域Ｈの撓み）を効率的に抑制することができる。
従って、本構成により、重量を大幅に増やすことなく旋回フレーム４０を効果的に補強し、ラチスブーム３０の横たわみを低減することができる。
【００５８】
また、旋回フレーム４０においては、遠壁４３ｂが補強されていることに加えて、前壁４４が、（i）遠壁４３ｂにおけるブームフットの支持位置Ｃ（貫通孔４３ｈ）に最も近い位置Ｅと、（ii）旋回ベアリング２０の外周線に最も近い位置Ｆと、を結ぶ直線４７Ｌに沿って補強されている。
【００５９】
この構成では、前壁４４のうち、遠壁４３ｂのブームフット支持位置に最も近い位置と、旋回ベアリング２０の外周線近傍と、が直線的に補強される。そのため、前壁４４の全体を補強することなく、前壁４４の最小限の補強により、遠壁４３ｂ側の底板４１の撓みを効率的に抑制することができる。
従って、本構成により、重量を大幅に増やすことなく旋回フレーム４０を効果的に補強し、ラチスブーム３０の横たわみを低減することができる。
【００６０】
旋回フレーム４０は、走行クレーンの下部走行体１０の上に旋回ベアリング２０を介して設置され、且つ、ラチスブーム３０の２つのブームフット３０ｆを前側で支持する。
当該旋回フレーム４０は、底板４１と、当該底板４１の上に設置され、ラチスブーム３０を支持する支持体４２と、を備え、支持体４２は、ラチスブーム３０を挟むように配置される、前後方向Ｋに平行な左右一対の側壁（側壁４３ａ、側壁４３ｂ）と、底板４１の前側に配置され、上下方向に平行で一対の側壁に垂直な前壁４４と、を有する。
それぞれの側壁は、ラチスブーム３０のブームフット３０ｆを、ラチスブーム３０が起伏できる状態で支持し、旋回ベアリング２０の旋回中心Ｇの位置に対して、ラチスブーム３０の中心位置が車幅方向Ｗにオフセットされている。
そして、前壁４４が、（i）遠壁４３ｂにおけるブームフット３０ｆの支持位置Ｃに最も近い位置と、（ii）旋回ベアリング２０の外周線に最も近い位置と、を結ぶ直線４７Ｌに沿って補強されている。
【００６１】
この構成では、ブーム中心位置が、旋回中心Ｇに対して車幅方向Ｗにオフセットされている走行クレーンにおいて、前壁４４のうち、遠壁４３ｂのブームフット支持位置に最も近い位置と、旋回ベアリング２０の外周線近傍と、が直線的に補強される。そのため、前壁４４の全体を補強することなく、前壁４４の最小限の補強により、遠壁４３ｂ側の底板４１の撓みを効率的に抑制することができる。
従って、本構成により、重量を大幅に増やすことなく旋回フレーム４０を効果的に補強し、ラチスブーム３０の横たわみを低減することができる。
【００６２】
（クレーンの種類の違いについて）
特開２０００−７２３８４号公報に記載されたクレーン（テレスコピックブームを車両後ろ側で支持するクレーン）においては、ブームフットの支持位置が、旋回ベアリングから、後方に向かって大きくオ−バーハングしている。そして、この公報の技術においては、旋回中心に対するブーム中心のオフセット量δに比べて、オーバーハング量αがかなり大きい（α＞１．５δ）。そのため、このクレーンでは、旋回フレームに作用する荷重を旋回ベアリングへ効率的に伝達させて、旋回安定性を高めることが重要となり、ブームに生じる横たわみは大きな問題とはならない。
一方、クローラクレーン１（ラチスブームを車両前方で支持するクレーン）においては、貫通孔４３ｈ（遠壁４３ｂにおけるブームフット３０ｆの支持位置）のオーバーハング量α（旋回ベアリング２０の外側に出ている部分の長さ）が、オフセット量δと同等である（図２参照）。そして、このようなクローラクレーン１においては、特開２０００−７２３８４号公報に記載のクレーンに比べて、ブーム位置を車幅方向にオフセットした場合に、ブームの横たわみが顕著な問題になる。すなわち、本発明は、オーバーハング量αが、オフセット量δと同等以下（０．８δ＜α＜１．２δ）であるクレーンに適用されることが望ましい。
【００６３】
（第２実施形態）
次に、本発明の第２実施形態について、図７を用いて説明する。なお、上記の実施形態と同様の部分については、図に同一の符号を付してその説明を省略する。
以下、上記の第１実施形態と異なる部分を中心に説明する。図７において、符号１４０、１４２を付した部分は、それぞれ、第１実施形態において、符号４０、４２を付した部分に相当する。
【００６４】
本実施形態に係る旋回フレーム１４０には、底板４１、及び支持体１４２に加えて、補強板４５が含まれる。補強板４５は、金属製である。また、補強板４５は、補強バー４６、補強バー４７、および、底板４１に対して、溶接により固定されている。補強板４５は、傾斜した状態で底板４１に取り付けられており、底板４１と補強板４５とが成す角の大きさは約４５度である。
【００６５】
補強板４５は、図８（ａ）に示すように、四角形の板である。なお、補強板の形状は、図８（ｂ）の補強板４５ｍのように、三角形の板であってもよい。また、補強板は他の形状を有していてもよい。
【００６６】
（効果）
本実施形態により得られる効果について説明する。旋回フレーム１４０は、補強バー４６（遠壁４３ｂにおける補強部分）、補強バー４７（前壁４４における補強部分）、及び、底板４１、に対して固定された補強板４５を有している。
【００６７】
この構成では、補強板４５が、遠壁４３ｂの補強部分、前壁４４の補強部分、及び底板４１の３箇所に固定されている。そのため、補強板４５、遠壁４３ｂ、及び前壁４４によって、旋回フレームがさらに強く補強され、底板４１の隅領域Ｈの撓みがさらに抑制される。また、一枚の板を追加するだけなので、重量が大幅に増加することがない。
【００６８】
（他の実施形態について）
本発明の実施の形態は、上記の実施形態には限られない。例えば、上記の実施形態においては、側壁４３ｂ及び前壁４４の両方が補強されているが、側壁（遠壁）４３ｂだけが補強されていてもよい。また、前壁４４だけが補強されていてもよい。
【００６９】
また、上記の実施形態では、補強用リブ（補強バー４６及び補強バー４７）の取り付けによって、側壁及び前壁が補強されているが、これらの壁部は、板厚増加によって補強されてもよい。すなわち、このようなリブを、側壁（又は前壁）と一体的に成形してもよい。
【００７０】
また、上記の実施形態では、側壁（遠壁）４３ｂについては内面（他方の側壁４３ａに面している方の面）が補強され、前壁４４については前面が補強されているが、それぞれ、反対側の面が補強されていてもよいし、また、両面が補強されていてもよい。
【００７１】
また、上記の実施形態では、旋回中心線ＲＣに対して、ブーム中心線ＢＣが左側にずれているが、旋回中心線ＲＣに対して、ブーム中心線ＢＣが右側にずれていてもよい。すなわち、左フレームの幅が右フレームよりも広く、左フレームの上に、キャブ５１及びパワーユニットが前後に並べられていてもよい。
【００７２】
また、補強バー４６、補強バー４７、及び補強板４５の材料は、金属には限られない。
【産業上の利用可能性】
【００７３】
本発明は、ラチスブームを有する走行クレーンの旋回フレームとして利用できる。
【符号の説明】
【００７４】
１    クローラクレーン（走行クレーン）
１０    下部走行体
２０    旋回ベアリング
３０    ラチスブーム
３０ｆ    ブームフット
４０    旋回フレーム
４１    底板
４２    支持体
４３ａ    側壁
４３ｂ    側壁（遠壁）
４４    前壁
４５    補強板
【図１】
2011046503.tif 000003
【図２】
2011046503.tif 000004
【図３】
2011046503.tif 000005
【図４】
2011046503.tif 000006
【図５】
2011046503.tif 000007
【図６】
2011046503.tif 000008
【図７】
2011046503.tif 000009
【図８】
2011046503.tif 000010